(57)【要約】【課題】搬送バスケットから解放された郵便物の破損、回収ミスを回避して確実に仕分け、保守メンテナンスが簡便で、郵便物仕分けラインのレイアウト自由度と設置スペース効率が高い郵便物仕分装置を提供すること。【解決手段】郵便物仕分けラインＬの搬送往路Ｌ１と搬送復路Ｌ２が背中合わせに近接配置され、郵便物回収ボックス群１２０が搬送復路Ｌ２の下方域に沿って並置され、前記郵便物回収ボックス群１２０が、搬送往路Ｌ１上の搬送バスケット１０から郵便物Ｍを誘導偏向シュート１３１を介して回収する最下段配置ボックス１２１と、搬送往路Ｌ１上の搬送バスケット１０から郵便物Ｍを放出シュート１３２を介して回収する中段配置ボックス１２２と、搬送復路Ｌ２上の搬送バスケット１０から郵便物Ｍを緩衝シュート１３３を介して回収する最上段配置ボックス１２３とで構成されている郵便物仕分装置１００。【選択図】　　図３
2004008992.tif 000002
【特許請求の範囲】
【請求項１】
郵便物仕分けラインを周回移動する多数の搬送バスケットによって搬送されたそれぞれの郵便物を郵便物回収ボックス群に仕分け先毎に回収する郵便物仕分装置において、
前記郵便物仕分けラインの搬送往路と搬送復路が相互に背中合わせに近接配置され、前記郵便物回収ボックス群が前記搬送復路の下方域に沿って並置されているとともに、
前記郵便物回収ボックス群が、前記搬送往路上の搬送バスケットから解放された郵便物を誘導偏向シュートを介して回収する最下段配置ボックスと、前記搬送往路上の搬送バスケットから解放された郵便物を放出シュートを介して回収する中段配置ボックスと、前記搬送復路上の搬送バスケットから解放された郵便物を緩衝シュートを介して回収する最上段配置ボックスとで構成されていることを特徴とする郵便物仕分装置。
【請求項２】
前記中段配置ボックスに郵便物を搬入するための搬入用ベルトコンベアが、前記放出シュートの下流側に連続して配置されていることを特徴とする請求項１記載の郵便物仕分装置。
【発明の詳細な説明】
【０００１】
【発明の属するの技術分野】
本発明は、郵便物仕分けラインを周回する複数の搬送バスケットによって搬送された郵便物を郵便物回収ボックス群の仕分け先毎に仕分ける郵便物用仕分装置に関する。
【０００２】
【従来の技術】
従来の郵便物仕分装置は、例えば、特公昭６３−８８２４号公報に開示されているように、多数の搬送バスケットが周回移動する郵便物仕分けラインの下方域に沿って郵便物回収ボックスが配列されており、搬送バスケットから解放されたそれぞれの郵便物が仕分け先毎の郵便物回収ボックスに回収されるようになっている。
また、この郵便物回収ボックスの配列形態については、仕分け作業者が仕分け回収作業、保守点検作業などを円滑に実施できるように配慮するとともに搬送バスケットから周回移動状態で解放された郵便物が充分な受け入れ空間を介して確実に回収されるように配慮するために、郵便物仕分けラインに沿って単純な一段配列方式を採用している。
【０００３】
【発明が解決しようとする課題】
しかしながら、従来のような郵便物仕分装置は、郵便物回収ボックスの配列形態として一段配列方式を採用しているため、多数の仕分け先が要求される場合には、郵便物仕分けラインのほぼ全周に亙って郵便物回収ボックスを配列して対応するか、若しくは、郵便物仕分けライン自体を延長して対応することになる。
前者で対応すると、郵便物仕分けラインのほぼ全周に亙って作業者のための作業エリアをある程度確保しなければならず、郵便物仕分けラインを建屋の側壁近傍に配置することができないなどのライン設計上の制約を生じるという問題があり、後者で対応すると、郵便物仕分けラインを設置するための建屋スペースが不足するという問題があった。
【０００４】
他方、周回移動する多数の搬送バスケットとその下方域に沿って配列した郵便物回収ボックスとで成る従来の郵便物仕分けラインを上下２階立て状態に敷設した場合には、ライン自体の延長に伴う建屋スペースの平面的なスペース不足を解消できそうであるが、作業者が実質的に作業し易い作業位置を、下側に敷設した郵便物仕分けラインの搬送バスケットの搬送空間として占領されてしまうため、郵便物回収ボックスの配置高さがスペース制限され、作業性も著しく制限されるという問題があった。
また、郵便物回収ボックスのみを郵便物仕分けラインに沿って多段に積層配列して前述した問題を解決しようとした場合には、多数の搬送バスケットが周回移動する郵便物仕分けラインを建屋の高位置に敷設してその下方域に郵便物回収ボックスを多段に積層配列しなければならないため、搬送バスケットと最下段の郵便物回収ボックスとの間には相当程度の落差が生じて郵便物を破損したり、回収ミスを生じたりするという問題があるばかりでなく、周回移動する搬送バスケットの保守メンテナンス作業などの作業性が悪化するという問題があった。
【０００５】
そこで、本発明の目的は、前述したような従来の技術における問題を解決するものであって、郵便物仕分けラインを周回移動する搬送バスケットから解放された郵便物の破損、回収ミスを回避して確実に仕分けることができ、保守メンテナンスが簡便であって、郵便物仕分けラインのレイアウト自由度と設置スペース効率が極めて高い郵便物仕分装置を提供することである。
【０００６】
【課題を解決するための手段】
まず、本請求項１記載の発明は、郵便物仕分けラインを周回移動する多数の搬送バスケットによって搬送されたそれぞれの郵便物を郵便物回収ボックス群に仕分け先毎に回収する郵便物仕分装置において、前記郵便物仕分けラインの搬送往路と搬送復路が相互に背中合わせに近接配置され、前記郵便物回収ボックス群が前記搬送復路の下方域に沿って並置されているとともに、前記郵便物回収ボックス群が、前記搬送往路上の搬送バスケットから解放された郵便物を誘導偏向シュートを介して回収する最下段配置ボックスと、前記搬送往路上の搬送バスケットから解放された郵便物を放出シュートを介して回収する中段配置ボックスと、前記搬送復路上の搬送バスケットから解放された郵便物を緩衝シュートを介して回収する最上段配置ボックスとで構成されていることによって、前述したような課題を解決するものである。
【０００７】
また、本請求項２記載の発明は、請求項１記載の発明の構成に加えて、前記中段配置ボックスに郵便物を搬入するための搬入用ベルトコンベアが、前記放出シュートの下流側に連続して配置されていることによって、前述したような課題をさらに解決するものである。
【０００８】
なお、本発明で言うところの「郵便物」とは、雑誌などの偏平物を封入または封緘したシート状郵便物を意味するものである。
【０００９】
【作用】
本発明は、上述した構成を備えていることによって、多数の郵便物は搬送バスケットによって搬送されながら郵便物仕分けラインを周回移動して、それぞれの仕分け先に応じた郵便物回収ボックス群に仕分け回収される。
【００１０】
特に、本請求項１に係る発明によれば、郵便物仕分けラインの搬送往路と搬送復路が相互に背中合わせに近接配置されているとともに、郵便物回収ボックス群が搬送復路の下方域に沿って並置されており、搬送往路上の搬送バスケットから解放された郵便物は、その仕分け先に応じて誘導偏向シュートを介して郵便物回収ボックス群の最下段配置ボックスに回収されるか、若しくは、放出シュートを介して中段配置ボックスに回収される。
他方、搬送復路上の搬送バスケットから解放された郵便物は、緩衝シュートを介して最上段配置ボックスに回収される。
このようにして、郵便物仕分けラインを周回移動する郵便物は、これらの郵便物の仕分け先に応じて搬送往路と搬送復路のいずれから解放されても、それぞれに対応する各種シュートを滑降しながら、郵便物仕分けラインの片側、すなわち、搬送復路の下方域に並置された郵便物回収ボックス群に回収される。
【００１１】
また、本請求項２に係る発明によれば、請求項１に係る発明が奏する作用に加えて、前記中段配置ボックスに郵便物を搬入するための搬入用ベルトコンベアが前記放出シュートの下流側に連続して配置されていることにより、搬入用ベルトコンベアが放出シュートから放出された郵便物を搬送往路側から搬送復路側へ確実に移送して中段配置ボックスに搬入する。
【００１２】
【発明の実施の形態】
以下、本発明の郵便物仕分装置の好ましい実施の形態である実施例を図面に基づいて説明する。図１は、本発明の一実施例である郵便物仕分装置の全体概要を示した正面図、図２は、図１に示す郵便物仕分装置の平面図、図３は、郵便物仕分装置における搬送バスケットと郵便物回収ボックス群との配置レイアウト図、図４は、最下段配置ボックスへの搬入状態を示した図、図５は、中段配置ボックスへの搬入状態を示した図、図６は、最上段配置ボックスへの搬入状態を示した図である。
【００１３】
まず、図１乃至図２に示す本実施例の郵便物仕分装置１００は、郵便物仕分けラインＬを周回移動する多数の搬送バスケット１１０によって搬送されたそれぞれの郵便物Ｍを郵便物回収ボックス群１２０に仕分け先毎に回収するものである。図１乃至図２における符号Ｉは、本実施例の郵便物仕分装置１００へ仕分け未処理状態の郵便物Ｍを投入するための仕分け先データ読み取り器などを備えた郵便物投入装置であり、符号Ｒは、郵便物投入装置Ｉから仕分け未処理状態の郵便物Ｍを移載バスケットＴを用いて一旦受け取り、本実施例の郵便物仕分装置１００に移し替えるための郵便物仕分配送用移載装置であり、矢印は、郵便物仕分けラインＬを周回移動する搬送バスケット１１０の移動方向を示している。
【００１４】
そして、図２に示すように、郵便物仕分けラインＬの搬送往路Ｌ１と搬送復路Ｌ２が相互に背中合わせに近接配置されて一直線状の仕分けゾーンを形成しており、前述した郵便物回収ボックス群１２０が搬送復路Ｌ２の下方域に沿って並置されている。
【００１５】
そこで、本実施例の郵便物仕分装置１００が最も特徴とする仕分機構について図３に基づき詳細に説明する。
前述した郵便物回収ボックス群１２０は、搬送往路Ｌ１上の搬送バスケット１１０から解放された郵便物Ｍを誘導偏向シュート１３１を介して回収する最下段配置ボックス１２１と、前記搬送往路Ｌ１上の搬送バスケット１１０から解放された郵便物Ｍを放出シュート１３２を介して回収する中段配置ボックス１２２と、前記搬送復路Ｌ２上の搬送バスケット１１０から解放された郵便物Ｍを緩衝シュート１３３を介して回収する最上段配置ボックス１２３とで構成されている。また、前記搬送バスケット１１０の底部に設けられた開閉板１１１は、図３に明示されていない係止ピン、解除レバーなどを備えた開閉機構によって開閉自在に構成されており、この開閉板１１１が開口したとき、搬送バスケット１１０から郵便物Ｍが解放され排出されるようになっている。
【００１６】
ここで、図３における符号Ｆは、郵便物仕分けラインＬを形成するための機枠フレームであり、符号Ｃは、多数の搬送バスケット１１０を連結して動力伝達するための連結チェーンであり、符号Ｂは、多数の搬送バスケット１１０を所定搬送間隔で連結チェーンＣに連結するための支持ブラケットであり、符号Ｄは、多数の搬送バスケット１１０を水平方向、または、垂直方向に移動自在に駆動させるための駆動用リニアモータであり、符号Ｗは、郵便物回収ボックス群１２０を構成する最下段配置ボックス１２１と中段配置ボックス１２２と最上段配置ボックス１２３とを搭載して郵便物仕分けラインＬに対して接離自在に移動可能な搬送台車である。
【００１７】
したがって、郵便物仕分けラインＬを周回移動する郵便物Ｍは、これらの郵便物Ｍの仕分け先に応じて搬送往路Ｌ１と搬送復路Ｌ２のいずれから解放されても、それぞれに対応する各種シュート１３１、１３２、１３３を滑降しながら、郵便物仕分けラインＬの片側、すなわち、搬送復路Ｌ２の下方域に並置された郵便物回収ボックス群１２０に回収できるようになっている。
【００１８】
また、前記中段配置ボックス１２２に郵便物Ｍを搬入するための搬入用ベルトコンベア１４０が放出シュート１３２の下流側に連続して配置されており、この搬入用ベルトコンベア１４０が放出シュート１３２から放出された郵便物Ｍを搬送往路Ｌ１側から搬送復路Ｌ２側へ確実に移送して中段配置ボックス１２２に搬入できるようになっている。
【００１９】
なお、本実施例の郵便物仕分装置１００の場合、図３に示すように、郵便物Ｍを周回移動させる搬送往路Ｌ１は、中段配置ボックス１２２よりも少なくとも高位置にレイアウトされているため、搬送往路Ｌ１の下方域がライン長手方向に亙って大幅に空きスペースができ、この空きスペースを有効活用して仕分制御装置Ｎなどを配置することができ、更に一層の設置スペース効率を確保することができる。
【００２０】
以上のようにして得られた本実施例の郵便物仕分装置１００は、仕分けされる郵便物Ｍの回収位置に応じて誘導偏向シュート１３１、放出シュート１３２、緩衝シュート１３３を使い分けるとともに、郵便物回収ボックス群１２０を最下段配置ボックス１２１、中段配置ボックス１２２、最上段配置ボックス１２３からなる３段重ねの積層状態としたため、郵便物Ｍの急激な落下放出に起因する破損などを回避できるとともに、誘導偏向シュート１３１、放出シュート１３２、緩衝シュート１３３を介して郵便物回収ボックス群１２０の仕分け先に対応する最下段配置ボックス１２１、中段配置ボックス１２２、最上段配置ボックス１２３に確実に仕分けることができ、回収ミスを生じることがない。
【００２１】
また、郵便物仕分けラインＬを周回移動する郵便物Ｍが、これらの仕分け先に応じて相互に背中合わせに近接配置された搬送往路Ｌ１と搬送復路Ｌ２のいずれから解放されても、それぞれに対応する各種シュート１３１、１３２、１３３を滑降しながら、郵便物仕分けラインＬの片側、すなわち、搬送復路Ｌ２の下方域に集約的に並置された郵便物回収ボックス群１２０に回収されるように構成されているため、仕分け作業の保守メンテナンスを片側から集約的に簡便に実施することができ、しかも、郵便物仕分けラインＬを建屋の側壁面近傍であっても配置することができるので、郵便物仕分けラインＬのレイアウト自由度と設置スペース効率を著しく向上させることができるなど、その効果は甚大である。
【００２２】
【発明の効果】
以上に説明したように、本発明に係る郵便物仕分装置は、郵便物仕分けラインの搬送往路と搬送復路が相互に背中合わせに近接配置され、前記郵便物回収ボックス群が前記搬送復路の下方域に沿って並置されているとともに、前記郵便物回収ボックス群が、前記搬送往路上の搬送バスケットから解放された郵便物を誘導偏向シュートを介して回収する最下段配置ボックスと、前記搬送往路上の搬送バスケットから解放された郵便物を放出シュートを介して回収する中段配置ボックスと、前記搬送復路上の搬送バスケットから解放された郵便物を緩衝シュートを介して回収する最上段配置ボックスとで構成されていることによって、以下のような本発明に特有の効果を奏する。
【００２３】
本請求項１に係る郵便物仕分装置によれば、仕分けされる郵便物の回収位置に応じて誘導偏向シュート、放出シュート、緩衝シュートを使い分けるとともに、郵便物回収ボックス群を最下段配置ボックス、中段配置ボックス、最上段配置ボックスからなる積層配列形態で構成したことにより、郵便物の急激な落下放出に起因する破損などを回避することができるとともに、誘導偏向シュート、放出シュート、緩衝シュートを介して郵便物回収ボックス群の仕分け先に対応する最下段配置ボックス、中段配置ボックス、最上段配置ボックスに確実に仕分けることができる。
【００２４】
また、郵便物仕分けラインを周回移動する郵便物が、これらの仕分け先に応じて相互に背中合わせに近接配置された搬送往路と搬送復路のいずれから解放されても、それぞれに対応する各種シュートを滑降しながら、郵便物仕分けラインの片側、すなわち、搬送復路の下方域に集約的に並置された郵便物回収ボックス群に回収されるように構成されているため、仕分け作業の保守メンテナンスを片側から集約的に簡便に実施することができ、しかも、郵便物仕分けラインを建屋の側壁近傍に配置することもできるので、郵便物仕分けラインのレイアウト自由度と設置スペース効率を著しく向上させることができる。
【００２５】
さらに、本請求項２に係る発明は、請求項１に係る発明の効果に加えて、前記中段配置ボックスに郵便物を搬入するための搬入用ベルトコンベアが前記放出シュートの下流側に連続して配置されていることにより、搬入用ベルトコンベアが放出シュートから放出された郵便物を搬送往路側から搬送復路側へ確実に移送して中段配置ボックスに搬入するので、中段配置ボックスにより確実に仕分けることができる。
【図面の簡単な説明】
【図１】本発明である郵便物仕分装置の全体概要を示した正面図。
【図２】図１に示す郵便物仕分装置の平面図。
【図３】郵便物仕分装置における搬送バスケットと郵便物回収ボックス群との配置レイアウト図。
【図４】最下段配置ボックスへの搬入状態を示した図。
【図５】中段配置ボックスへの搬入状態を示した図。
【図６】最上段配置ボックスへの搬入状態を示した図。
【符号の説明】
１００　・・・　郵便物仕分装置
１１０　・・・　搬送バスケット
１１１　・・・　開閉板
１２０　・・・　郵便物回収ボックス群
１２１　・・・　最下段配置ボックス
１２２　・・・　中段配置ボックス
１２３　・・・　最上段配置ボックス
１３１　・・・　誘導偏向シュート
１３２　・・・　放出シュート
１３３　・・・　緩衝シュート
１４０　・・・　搬入用ベルトコンベア
Ｉ　　　・・・　郵便物投入装置
Ｒ　　　・・・　郵便物仕分配送用移載装置
Ｔ　　　・・・　移載バスケット
Ｍ　　　・・・　郵便物
Ｌ　　　・・・　郵便物仕分けライン
Ｌ１　　・・・　搬送往路
Ｌ２　　・・・　搬送復路
Ｆ　　　・・・　機枠フレーム
Ｃ　　　・・・　連結チェーン
Ｂ　　　・・・　支持ブラケット
Ｄ　　　・・・　駆動用リニアモータ
Ｗ　　　・・・　搬送台車
Ｎ　　　・・・　仕分制御装置
【図１】
2004008992.tif 000003
【図２】
2004008992.tif 000004
【図３】
2004008992.tif 000005
【図４】
2004008992.tif 000006
【図５】
2004008992.tif 000007
【図６】
2004008992.tif 000008